(57)【要約】無線局と無線端末とが通信する無線通信システムにおいて、少なくとも１つの無線局が１つの無線アクセス技術で複数種類のセルを制御する制御手段と、無線端末がセルの種類を認識する認識手段と、無線端末がセルの種類に対応するセル選択基準を基にセルの選択を行うセル選択手段とを有する無線通信システムである。
2014007336.tif 000002
【特許請求の範囲】
【請求項１】
無線局と無線端末とが通信する無線通信システムにおいて、
少なくとも１つの前記無線局が、１つの無線アクセス技術で複数種類のセルを制御する制御手段と、
前記無線端末が、前記セルの種類を認識する認識手段と、
前記無線端末が、前記セルの種類に対応するセル選択基準を基にセルの選択を行うセル選択手段と、
を有する無線通信システム。
【請求項２】
前記セルの選択が、前記無線端末が前記無線局との無線接続を確立していない状態におけるセル選択又はセル再選択である
請求項１に記載の無線通信システム。
【請求項３】
前記セルの種類は、当該セルの構成要素となるキャリアの種類によって特定される
請求項１又は請求項２に記載の無線通信システム。
【請求項４】
前記キャリアの種類は、送信される信号の送信形態によって分類される
請求項３に記載の無線通信システム。
【請求項５】
前記キャリアの種類が、物理チャネルの構成によって分類される
請求項３又は請求項４に記載の無線通信システム。
【請求項６】
前記キャリアの種類が、前記キャリアにおける前記無線局から送信される既知信号、システム情報、制御信号、の少なくともいずれかの送信形態によって分類される
請求項３から請求項５のいずれかに記載の無線通信システム。
【請求項７】
前記キャリアの種類が、システム情報の内容によって分類される
請求項３から請求項６のいずれかに記載の無線通信システム。
【請求項８】
前記キャリアの種類が、無線伝送方式によって分類される
請求項３から請求項７のいずれかに記載の無線通信システム。
【請求項９】
前記キャリアの種類が、複信方式によって分類される、
請求項３から請求項８のいずれかに記載の無線通信システム。
【請求項１０】
前記セル選択基準が、セル選択又はセル再選択に関する判定閾値、又は、セル選択又はセル再選択に関するオフセット値を含む
請求項１から請求項９のいずれかに記載の無線通信システム。
【請求項１１】
前記セル選択基準が、セル選択又はセル再選択に関する優先度を含む
請求項１から請求項１０のいずれかに記載の無線通信システム。
【請求項１２】
前記無線局が、前記セル選択基準を、前記無線端末に報知、又は、個別送信する
請求項１から請求項１１のいずれかに記載の無線通信システム。
【請求項１３】
前記制御手段が、少なくとも第１のキャリアと第２のキャリアを制御する機能を有し、
前記無線端末が、前記第１のキャリアのみを使用する機能を有する第１の無線端末と、前記第１のキャリアと前記第２のキャリアを使用する機能を有する第２の無線端末とに分類される
請求項１から請求項１２のいずれかに記載の無線通信システム。
【請求項１４】
前記第２の無線端末が、当該第２の無線端末によりサポートされる周波数帯において、前記セル選択基準を満たす前記第２のキャリアのセルを優先的に選択する
請求項１３に記載の無線通信システム。
【請求項１５】
無線局が１つの無線アクセス技術で複数種類のセルを制御する無線通信システムにおける無線端末であって、
前記セルの種類を認識する認識手段と、
前記セルの種類に対応するセル選択基準を基にセルの選択を行うセル選択手段と、
を有する無線端末。
【請求項１６】
前記セルの選択が、前記無線端末が前記無線局との無線接続を確立していない状態におけるセル選択又はセル再選択である
請求項１５に記載の無線端末。
【請求項１７】
前記セルの種類は、当該セルの構成要素となるキャリアの種類によって特定される
請求項１５又は請求項１６に記載の無線端末。
【請求項１８】
前記キャリアの種類は、送信される信号の送信形態によって分類される
請求項１７に記載の無線端末。
【請求項１９】
前記キャリアの種類が、物理チャネルの構成によって分類される
請求項１７又は請求項１８に記載の無線端末。
【請求項２０】
前記キャリアの種類が、前記キャリアにおける前記無線局から送信される既知信号、システム情報、制御信号、の少なくともいずれかの送信形態によって分類される
請求項１７から請求項１９のいずれかに記載の無線端末。
【請求項２１】
前記キャリアの種類が、システム情報の内容によって分類される
請求項１７から請求項２０のいずれかに記載の無線端末。
【請求項２２】
前記キャリアの種類が、無線伝送方式によって分類される
請求項１７から請求項２１のいずれかに記載の無線端末。
【請求項２３】
前記キャリアの種類が、複信方式によって分類される、
請求項１７から請求項２２のいずれかに記載の無線端末。
【請求項２４】
前記セル選択基準が、セル選択又はセル再選択に関する判定閾値、又は、セル選択又はセル再選択に関するオフセット値、を含む
請求項１５から請求項２３のいずれかに記載の無線端末。
【請求項２５】
前記セル選択基準が、セル選択又はセル再選択に関する優先度を含む
請求項１５から請求項２４のいずれかに記載の無線端末。
【請求項２６】
前記セル選択基準を、前記無線局から受信する
請求項１５から請求項２５のいずれかに記載の無線端末。
【請求項２７】
無線端末が、第１のキャリアのみを使用する機能を有する無線端末と、前記第１のキャリアと第２のキャリアとを使用する機能を有する無線端末とに分類される
請求項１５から請求項２６のいずれかに記載の無線端末。
【請求項２８】
前記第１のキャリアと前記第２のキャリアとを使用する機能を有し、
前記セル選択手段は、当該無線端末によりサポートされる周波数帯において、前記セル選択基準を満たす前記第２のキャリアのセルを優先的に選択する
請求項２７に記載の無線端末。
【請求項２９】
無線局であって、
１つの無線アクセス技術で複数種類のセルを制御する制御手段と、
無線端末がセルの選択を行う際の基準となるセル選択基準を、前記無線端末に報知、又は、個別送信する手段と
を有し、
前記セル選択基準をセルの種類に対応させて設定する無線局。
【請求項３０】
セル選択方法であって、
少なくとも１つの無線局が、１つの無線アクセス技術で複数種類のセルを制御し、
無線端末が、前記セルの種類を認識し、
前記無線端末が、前記セルの種類に対応するセル選択基準を基にセルの選択を行う
セル選択方法。
【請求項３１】
前記セルの選択が、前記無線端末が前記無線局との無線接続を確立していない状態におけるセル選択又はセル再選択である
請求項３０に記載のセル選択方法。
【請求項３２】
前記セルの種類は、当該セルの構成要素となるキャリアの種類によって特定される
請求項３０又は請求項３１に記載のセル選択方法。
【請求項３３】
前記キャリアの種類は、送信される信号の送信形態によって分類される
請求項３２に記載のセル選択方法。
【請求項３４】
前記キャリアの種類が、物理チャネルの構成によって分類される
請求項３２又は請求項３３に記載のセル選択方法。
【請求項３５】
前記キャリアの種類が、前記キャリアにおける前記無線局から送信される既知信号、システム情報、制御信号、の少なくともいずれかの送信形態によって分類される
請求項３２から請求項３４のいずれかに記載のセル選択方法。
【請求項３６】
前記キャリアの種類が、システム情報の内容によって分類される
請求項３２から請求項３５のいずれかに記載のセル選択方法。
【請求項３７】
前記キャリアの種類が、無線伝送方式によって分類される
請求項３２から請求項３６のいずれかに記載のセル選択方法。
【請求項３８】
前記キャリアの種類が、複信方式によって分類される、
請求項３２から請求項３７のいずれかに記載のセル選択方法。
【請求項３９】
前記セル選択基準が、セル選択又はセル再選択に関する判定閾値、又は、セル選択又はセル再選択に関するオフセット値、を含む
請求項３０から請求項３８のいずれかに記載のセル選択方法。
【請求項４０】
前記セル選択基準が、セル選択又はセル再選択に関する優先度を含む
請求項３０から請求項３９のいずれかに記載のセル選択方法。
【請求項４１】
前記無線局が、前記セル選択基準を、前記無線端末に報知、又は、個別送信する
請求項３０から請求項４０のいずれかに記載のセル選択方法。
【請求項４２】
前記無線局が、少なくとも第１のキャリアと第２のキャリアを制御し、
前記無線端末が、前記第１のキャリアのみを使用する機能を有する第１の無線端末と、前記第１のキャリアと前記第２のキャリアを使用する機能を有する第２の無線端末とに分類される
請求項３０から請求項４１のいずれかに記載のセル選択方法。
【請求項４３】
前記第２の無線端末が、当該第２の無線端末によりサポートされる周波数帯において、前記セル選択基準を満たす前記第２のキャリアのセルを優先的に選択する
請求項４２に記載のセル選択方法。
【発明の詳細な説明】
【技術分野】
【０００１】
本発明は、無線局や無線端末が、特定の無線アクセス技術で複数種類のセルを制御する機能を有する無線通信システムに関する。
【背景技術】
【０００２】
３ＧＰＰ（3rd Generation Partnership Project）で規定される無線通信システムの規格の１つであるＬＴＥ（Long Term Evolution）では、無線端末（User Equipment: UE）が、下りリンク（Downlink: DL）のコンポーネントキャリア（以下、ＤＬキャリア）と、当該ＤＬキャリアに対応付けられた上りリンク（Uplink: UL）のコンポーネントキャリア（以下、ＵＬキャリア）から構成されるセルを１つ選択し、当該セルにおいて無線基地局（evolved Node B: eNB）と通信を行う。尚、基本的にＵＥがセルを選択することは、ＤＬキャリアを選択することに対応する。ＬＴＥでは、ｅＮＢがＤＬキャリアで、セル内ＵＥが共通に利用する参照信号（Cell specific Reference Signal: CRS）、同期信号（Synchronization Signal: SS）、システム情報（System Information: SI）、などを周期的に送信する。これらは、ＬＴＥにおいて、ＵＥがセル選択を行う上で必要な信号又は情報であり、所定の条件を満たすように送信形態（例えば、送信周期や信号配置）が規定されている。【０００３】
ＬＴＥにおけるアイドル状態（Radio Resource Control(RRC) Idle）のＵＥのセル選択方法及びセル再選択方法について図１２を用いて説明する。RRC_Idle のＵＥのセル選択において、ＵＥは無線周波数部の能力に従って、自身がサポートするＥ-ＵＴＲＡ（Evolved - Universal Terrestrial Radio Access）の周波数帯の全ての周波数を順に探索する（スキャンする）。【０００４】
図１２において、ＵＥが周波数１（ｆ１）、周波数２（ｆ２）、及び周波数３（ｆ３）でセルを検出する能力を有する場合、ｆ１からｆ３の全てで適切なセルの検出を試みる。ＵＥは各周波数において最も強いセル（例えば、ＣＲＳの検出レベルが最も高い、ＣＲＳの受信電力（RSRP）が最も大きい、又は、ＣＲＳの受信品質（RSRQ）が最も高いセル）を探索すれば良い。一方、ＵＥが以前に受信していた測定制御情報で示される周波数の情報やセルパラメータの情報を保有する場合、それらを用いても良い。この場合、自身がサポートするＥ-ＵＴＲＡの周波数帯の全てを探索しなくても良い。【０００５】
ＵＥは適切なセルを見つけた場合、当該セルを選択し、当該セルに滞在（キャンプ）する。図１２は、ＵＥがＣｅｌｌ２を選択した状態を示す。ここで、適切なセルとは、所定のセル選択の基準を満足するセルであり、当該ＵＥのキャンプ（及び、eNBへのアクセス）が許可されているセルである。所定のセル選択の基準としては、キャンプする為に必要な最小受信電力や最小受信品質を満たすこと、などが規定されている（非特許文献１）。尚、どの周波数帯から探索を開始するかは端末のインプリ依存であり、端末が以前にキャンプしていたセルの周波数帯の情報を記憶しておき、当該周波数帯から探索を開始するようにしても良い。【０００６】
アイドル状態（RRC_Idle）のＵＥのセル再選択方法について説明する。【０００７】
まず、同一周波数のセルに対するセル再選択は、セル選択基準を満たすセルに対してランキングを行うことから開始される。ＵＥは、ｅＮＢから報知情報などでサービングセルに対する隣接セルのオフセットを指定された場合、当該オフセットを考慮してランキングを行う。そして、最も良いセル（ベストセル）としてランク付けされたセルに対して所定の第１のセル再選択の基準を満たすセルを選択する。第１のセル再選択の基準は、ＵＥが現在のサービングセルにキャンプしてから１秒以上が経過し、かつ、対象セル（新規サービングセルの候補）が所定期間サービングセルより上位にランク付けされていること、と規定されている。尚、当該基準を満たすセルが無い場合、或は、サービングセルがベストセルとしてランク付けされた場合、セル再選択は行わない。また、ＵＥが不要な測定を行うことを避ける為に、キャンプ中のセル（サービングセル）の受信電力又は受信品質が、所定の閾値よりも低下した場合に実行されるようにしても良い。【０００８】
次に、サービングセルと異なる周波数のセルに対するセル再選択や、異なる無線アクセス技術（Radio Access Technology: RAT）のセルに対するセル再選択の制御は、以下のいずれかに従い実行される。【０００９】
１）  プライオリティが高いＬＴＥ又は他のＲＡＴの隣接セルへのセル再選択：
サービングセルの周波数よりも高いセル再選択プライオリティを割り当てられた周波数がある場合、当該周波数のＬＴＥのセルの測定（Inter-frequency measurement）、又は、他のＲＡＴのセルの測定（Inter-RAT measurement）を実行し、所定の第２のセル再選択の基準を満たすセルを選択する。第２のセル再選択の基準は、ＵＥが現在のサービングセルにキャンプしてから１秒以上が経過し、かつ、当該セルの受信電力や受信品質がそれぞれの判定閾値を上回る状態が所定期間継続すること、と規定されている。【００１０】
２）  プライオリティが同じＬＴＥの隣接セルへのセル再選択：
サービングセルの周波数と同じセル再選択プライオリティを割り当てられた周波数のＬＴＥのセルの測定（Inter-frequency measurement）を実行し、所定の第３のセル再選択の基準を満たすセルを選択する。第３のセル再選択の基準は上述のセル選択の基準と同様で、セル再選択の候補セルが異なる周波数のＬＴＥのセルであることである。【００１１】
３）  プライオリティが低いＬＴＥ又は他ＲＡＴの隣接セルへのセル再選択：
サービングセルの周波数より低いセル再選択プライオリティを割り当てられた周波数のＬＴＥのセルの測定（Inter-frequency measurement）、又は、サービングセルの周波数より低いセル再選択プライオリティを割り当てられた周波数の他のＲＡＴのセルの測定(Inter-RAT measurement)を実行し、所定の第４のセル再選択の基準を満たすセルを選択する。第４のセル再選択の基準は、ＵＥが現在のサービングセルにキャンプしてから１秒以上が経過し、かつ、サービングセルの受信電力又は受信品質が判定閾値を下回り、かつ、隣接セルの受信電力又は受信品質が別の判定閾値を上回る状態が、所定期間継続すること、などと規定されている。【００１２】
尚、セル再選択プライオリティは、システム情報（System Information）として報知されるか、ＵＥ個別信号（Dedicated Signalling）で通知される。【００１３】
以上に示す制御により、アイドル状態（RRC_Idle）のＵＥは適切なセル選択、及びセル再選択を実行することができる。【００１４】
一方、３ＧＰＰでは、ＬＴＥを高度化させ、大幅な機能拡張をしたＬＴＥ-Ａｄｖａｎｃｅｄの検討が行われている。ＬＴＥでは、ｅＮＢがＣＲＳに加え、ユーザーデータを復調する為の参照信号（Demodulation RS: DM-RS）、下りリンクの通信路状態情報（Channel State Information: CSI）の測定や算出の為の参照信号（CSI-RS）、スケジューリング情報などを含む下りリンクの物理制御チャネル（Physical Downlink Control Channel: PDCCH）なども送信する。ＬＴＥ-Ａｄｖａｎｃｅｄの検討において、下りリンクのユーザーデータ以外の上述のような信号や情報のオーバーヘッドが大きく、下りリンクの無線リソースの利用が最適化されていないことが指摘され、下りリンクのスループットやセル容量の改善の為に、当該オーバーヘッドを削減することが検討されている。例えば、サブフレーム（Subframe）当たりに送信するＣＲＳのシンボル数を低減する、ＣＲＳを送信するサブフレーム数を低減する、又はＣＲＳを全く送信しない、などの方法が検討されており、そのようなＤＬキャリアの種類をＮｅｗ  Ｃａｒｒｉｅｒ  Ｔｙｐｅ（ＮＣＴ）と呼んでいる（非特許文献２）。以下では、従来のコンポーネントキャリア（Ｌｅｇａｃｙ  Ｃｏｍｐｏｎｅｎｔ  Ｃａｒｒｉｅｒ：  ＬＣＣ）に対して、ＮＣＴのコンポーネントキャリアをＮｅｗ  Ｔｙｐｅ  Ｃｏｍｐｏｎｅｎｔ  Ｃａｒｒｉｅｒ（ＮＴＣＣ）と呼ぶ。ＮＴＣＣは、ＵＥが複数のコンポーネントキャリアを同時使用してｅＮＢと通信を行うキャリアアグリゲーション（Carrier Aggregation: CA）のセカンダリコンポーネントキャリア（Secondary Component Carrier: SCC）（セカンダリセル（Secondary Cell: SCell）とも呼ぶ）として使用することが想定されている。ここで、ＵＥがｅＮＢとの接続を確立したり、セキュリティ情報などの基本的な情報を取得したりするコンポーネントキャリア（セル）をプライマリコンポーネントキャリア（Primary Component Carrier: PCC）／プライマリセル（Primary Cell: PCell）と呼び、ＰＣＣ／ＰＣｅｌｌと共に使用する追加的なコンポーネントキャリア／セルをＳＣＣ／ＳＣｅｌｌと呼ぶ。ＤＬ  ＮＴＣＣの導入により、ＳＣＣ／ＳＣｅｌｌにおいて下りユーザーデータを送信する無線リソースが増加し、下りスループットやセル容量の改善が期待できる。さらに、無線ネットワークの省電力化も期待できる。
【先行技術文献】
【非特許文献】
【００１５】
【非特許文献１】３ＧＰＰ  ＴＳ３６．３０４ｖ１０．５．０（インターネット＜ＵＲＬ＞ｈｔｔｐ：／／ｗｗｗ．３ｇｐｐ．ｏｒｇ／ｆｔｐ／Ｓｐｅｃｓ／ｈｔｍｌ-ｉｎｆｏ／３６３０４．ｈｔｍ）, ｓｅｃｔｉｏｎ  ５．２
【非特許文献２】３ＧＰＰ  Ｒ２-１１５６６６  （インターネット＜ＵＲＬ＞ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿７６／Ｄｏｃｓ／Ｒ２-１１５６６６．ｚｉｐ）
【発明の概要】
【発明が解決しようとする課題】
【００１６】
以下に本発明による関連技術の分析を与える。【００１７】
ＬＴＥ-ＡｄｖａｎｃｅｄにおけるＤＬ  Ｎｅｗ  Ｃａｒｒｉｅｒ  Ｔｙｐｅ（ＮＣＴ）の導入は、キャリアアグリゲーション（Carrier Aggregation: CA）時のセカンダリキャリア（ＳＣＣ）／セカンダリセル（ＳＣｅｌｌ）として使用することを想定している。一方、無線リソースの有効利用という観点からは、ＮＣＴのコンポーネントキャリア（Ｎｅｗ  Ｔｙｐｅ  Ｃｏｍｐｏｎｅｎｔ  Ｃａｒｒｉｅｒ：  ＮＴＣＣ）をプライマリキャリア（ＰＣＣ）／プライマリセル（ＰＣｅｌｌ）として使用することが期待される。しかし、上述のＮＴＣＣをＰＣＣ／ＰＣｅｌｌとして適用した場合には以下に挙げるようないくつかの問題が生じる可能性がある。【００１８】
まず、ＮＴＣＣで構成されるＰＣｅｌｌ（以下、ＮＴＣＣ  ＰＣｅｌｌ）を導入する初期段階は、ＮＴＣＣ  ＰＣｅｌｌを使用可能な無線端末（ＵＥ）数のセル内の全ＵＥ数に占める割合は比較的小さく、従来のコンポーネントキャリアで構成されるＰＣｅｌｌ（以下、Ｌｅｇａｃｙ  ＰＣｅｌｌ）にアイドル状態（RRC_Idle）のＵＥが集中することが想定される。【００１９】
例えば、図１２においてｆ１とｆ２をＬｅｇａｃｙ  ＰＣｅｌｌ、ｆ３をＮＴＣＣ  ＰＣｅｌｌとして設定した場合、ＮＴＣＣ  ＰＣｅｌｌを使用可能なＵＥはｆ１〜ｆ３に分散するが、ＮＴＣＣ  ＰＣｅｌｌを使用不可能なＵＥは、ｆ１とｆ２に分散する。その為、ＮＴＣＣ  ＰＣｅｌｌを使用可能なＵＥの割合によっては、ｆ１とｆ２のセルにＵＥが集中する。これにより、ＵＥがアイドル状態（RRC_Idle）からアクティブ状態（RRC_Connected）になる為の無線接続要求（RRC Connection Request）を含む無線接続確立プロシージャ（RRC Connection Setup Procedure）の処理が集中することが問題になる。【００２０】
一方、ＮＴＣＣ  ＰＣｅｌｌを使用可能なＵＥの割合が支配的になり、使用不可能なＵＥの割合が低下してきた場合、Ｌｅｇａｃｙ  ＰＣｅｌｌの割合を削減することでＮＴＣＣ  ＰＣｅｌｌ導入による効果を高めることが期待される。【００２１】
しかし、Ｌｅｇａｃｙ  ＰＣｅｌｌとＮＴＣＣ  ＰＣｅｌｌの割合を適切に設定しなければ、Ｌｅｇａｃｙ  ＰＣｅｌｌにアイドル状態（RRC_Idle）のＵＥが集中し、上述と同様の問題が生じる可能性がある。尚、ＮＴＣＣ  ＰＣｅｌｌを使用可能なＵＥの割合は、場所及び時間で変化することが予想される為、Ｌｅｇａｃｙ  ＰＣｅｌｌとＮＴＣＣ  ＰＣｅｌｌの割合を適切に設定することは困難であると考えられる。【００２２】
従って、解決すべき課題は、アイドル状態のＵＥがキャンプするセルを適切に分散させることである。
【課題を解決するための手段】
【００２３】
本発明は、無線局と無線端末とが通信する無線通信システムにおいて、少なくとも１つの前記無線局が、１つの無線アクセス技術で複数種類のセルを制御する制御手段と、前記無線端末が、前記セルの種類を認識する認識手段と、前記無線端末が、前記セルの種類に対応するセル選択基準を基にセルの選択を行うセル選択手段と、を有する無線通信システムである。【００２４】
本発明は、無線局が１つの無線アクセス技術で複数種類のセルを制御する無線通信システムにおける無線端末であって、前記セルの種類を認識する認識手段と、前記セルの種類に対応するセル選択基準を基にセルの選択を行うセル選択手段と、を有する無線端末である。【００２５】
本発明は、無線局であって、１つの無線アクセス技術で複数種類のセルを制御する制御手段と、無線端末がセルの選択を行う際の基準となるセル選択基準を、前記無線端末に報知、又は、個別送信する手段とを有し、前記セル選択基準をセルの種類に対応させて設定する無線局である。【００２６】
本発明は、セル選択方法であって、少なくとも１つの無線局が、１つの無線アクセス技術で複数種類のセルを制御し、無線端末が、前記セルの種類を認識し、前記無線端末が、前記セルの種類に対応するセル選択基準を基にセルの選択を行うセル選択方法である。
【発明の効果】
【００２７】
本発明によれば、アイドル状態（RRC_Idle）の無線端末（ＵＥ）がキャンプするセルを適切に分散させることで、ＵＥがアイドル状態からアクティブ状態（RRC_Connected）になる為の接続要求（RRC Connection Request）を含む接続確立プロシージャ（RRC Connection Setup Procedure）の処理が特定のセルに集中することを回避することができる。
【図面の簡単な説明】
【００２８】
【図１】本発明の第１の実施の形態における無線システムの概略図である。
【図２】本発明の第１の実施の形態における無線局及び無線端末のブロック図である。
【図３】本発明の実施例１の無線端末によるセル選択のフローチャートである。
【図４】本発明の実施例２の無線端末によるセル再選択のフローチャートである。
【図５】本発明の第２の実施の形態におけるＬＴＥのシステム図である。
【図６】本発明の第２の実施の形態の無線端末によるセル選択及びセル再選択を説明するためのシステム図である。
【図７】本発明の実施例３の無線端末によるセル選択及びセル再選択を説明するための別のシステム図である。
【図８】本発明の実施例３の無線端末によるセル選択及びセル再選択に用いるパラメータの送信形態の図である。
【図９】本発明の実施例３の無線端末によるセル選択及びセル再選択に用いるパラメータの別の送信形態の図である。
【図１０】本発明の第４の実施例における無線端末によるセル選択を説明するためのシステム図である。
【図１１】本発明の第５の実施例における無線端末によるセル再選択を説明するためのシステム図である。
【図１２】従来の無線端末によるセル選択及びセル再選択を説明するためのシステム図である。
【発明を実施するための形態】
【００２９】
＜第１の実施の形態＞
本発明の実施形態について、無線局（例えば、無線基地局、基地局制御局、他のネットワーク装置）と、無線端末とを構成要素として含む第１の無線通信システムを例に用い説明する。
【００３０】
第１の実施の形態は、異なる種類のセルが混在する無線システムにおいて、無線端末に、当該セルの種類を考慮したセル（又は、他の予め規定される滞在エリア）の選択を行わせることで、無線端末のセルを適切に分散させることである。
【００３１】
図１は本発明の第１の実施の形態のブロック図である。
【００３２】
本発明の第１の実施の形態は、第１の無線通信システムにおいて、少なくとも一部の無線局１が１つの無線アクセス技術（Radio Access Technology: RAT）で複数種類のセルを制御する制御手段を有し、少なくとも一部の無線端末２がセルの種類を認識する認識手段と、セルの種類に対応するセル選択基準を基にセルの選択を行うセル選択手段とを有する。尚、セルの選択とは、無線端末２が無線局１と無線接続を確立していないアイドル状態において実行するセル選択、及び／又は、セル再選択の動作を含む。ここで言うアイドル状態とは、無線端末２が無線局１と通信をしていない待ち受け状態も含む。尚、セル選択基準としては、例えば以下のものが考えられる。
【００３３】
・セル選択又はセル再選択に関する判定閾値
・セル選択又はセル再選択に関するオフセット値
・セル選択又はセル再選択に関する優先度（プライオリティ）
・上記の組み合わせ
ここで、判定閾値は、例えば選択候補の抽出や最終的な選択に用いる判定指標に対する閾値である。オフセット値は、例えば選択候補の抽出や最終的な選択に用いる判定指標に対するオフセット値である。優先度（プライオリティ）は、例えば選択候補の探索の順序や、選択候補から最終的に選択を行う際に考慮する選択候補間の優先度である。尚、判定指標としては、例えば既知信号の受信電力や受信品質が考えられる。しかし、これらに限定はされない。セルの種類に対応するセル選択基準は、無線局１から無線端末２に報知情報として送信されても良いし、個別信号で通知されても良いし、或いは、予め無線端末２に設定されていても良い。
【００３４】
セルの種類としては、例えば以下のものが考えられる。
【００３５】
・従来の無線端末がアクセス可能なセル
・特定の能力（又は機能）を有する無線端末のみがアクセス可能なセル
・特定の用途においてのみ従来の無線端末がアクセス可能なセル
ここで、従来の無線端末（UE）とは、例えばセル（又は、キャリア）の種類に対応するセル選択基準を基にしたセルの選択を行う機能を有していない無線端末である。一方、特定の能力（又は機能）とは、例えばセル（又は、キャリア）の種類に対応するセル選択基準を基にしたセルの選択（つまり、セル選択やセル再選択）を行う能力（又は機能）である。特定の用途とは、例えば複数のセル（又は、キャリア）を同時に使用して通信を行う場合の追加セル（又は、追加キャリア）として使用する、などが考えられる。
【００３６】
一方、無線端末２によるセルを選択する処理は、基本的に無線局１が送信する下りキャリア（及び、当該下りリンクに関連付けられた上りキャリア）を選択する処理と等価である為、「セルの種類に対応するセル選択基準」を「キャリアの種類に対応するセル選択基準」と言う（つまり、置き換えて考える）ことができることは言うまでもない。
【００３７】
また、同様の観点から、セルの種類は、当該セルの構成要素となるキャリアの種類によって特定されるとも言える。キャリアの種類は、そのキャリアで送信される信号の送信形態に関する所定の特徴を基に分類される。所定の特徴とは、例えば以下のものが考えられる。
【００３８】
・物理チャネルの構成
・無線局が送信する既知信号の送信形態
・無線局が送信する制御信号の送信形態
・無線局が送信するシステム情報の送信形態
・無線局が送信するシステム情報の内容（コンテンツ）
・無線伝送方式
・複信方式
物理チャネルの構成としては、下りリンクまたは上りリンクのサブフレームフォーマットやフレームフォーマットとも呼ばれ、例えば物理チャネルのマッピング、つまり各物理チャネルの送信に用いられる無線リソースの割り当て方法などが考えられる。
【００３９】
既知信号は参照信号やパイロット信号と呼ばれる。既知信号の送信形態としては、例えば既知信号の送信周期、送信帯域、送信密度、信号電力密度、信号配置、信号系列、送信アンテナ数、種類などが考えられる。
【００４０】
システム情報の内容としては、キャリアの種類によらず送信される情報と、特定の種類のキャリアでのみ送信される情報、などが考えられる。
【００４１】
無線伝送方式としては、例えば、ＯＦＤＭ、ＯＦＤＭＡ、ＳＣ-ＦＤＭＡ、ＣＤＭＡ、ＦＤＭＡ、ＴＤＭＡなどが考えられる。
【００４２】
複信方式（Duplex operation）としては、例えば全二重通信方式（Full-Duplex）、半二重通信方式（Half-Duplex）、周波数分割複信（Frequency Division Duplex: FDD）、時分割複信（Time Division Duplex: TDD）が考えられる。
【００４３】
さらに、無線局１の制御手段におけるセルの制御とは、例えば、セルの構成要素として、ある種類のキャリアを下りリンク、及び／又は、上りリンクに用いて、無線端末２と通信を行うことである。また、無線端末２の認識手段におけるセルの種類の認識とは、例えば無線端末２が滞在（キャンプ）するセルの種類を知ること、又は、意識することである。また、セルの構成要素である下りリンクのキャリアの種類、及び／又は、当該セルの上りリンクのキャリアの種類を知ること、又は、意識することとも言うことができる。
【００４４】
以上に示すように、アイドル状態の無線端末２が、セル（又は、キャリア）の種類を認識し、当該セル（又は、キャリア）の種類に対応するセル選択基準を基にセル選択又はセル再選択をすることで、アイドル状態の無線端末２を適切に分散させることができる。
【００４５】
例えば、システム内の全ての無線端末２が使用できる種類のキャリア（第１のキャリア）で構成される第１のセルと、一部の無線端末２のみが使用できる種類のキャリア（第２のキャリア）で構成される（つまり、下りリンクのキャリアと上りリンクのキャリアの少なくとも一方が第２のキャリアである）第２のセルが混在する場合、従来技術のようにセル（又は、キャリア）の種類を考慮しないセル選択やセル再選択を行うと、第１のセルの方にアイドル状態の無線端末２が集中する問題が生じる可能性がある。しかし、本発明により、アイドル状態の無線端末２が第１のセルと第２のセルへ適度に分散させることができる。結果的に、アイドル状態の無線端末２がアクティブ状態になる際の無線接続要求を含む無線接続確立プロシージャの集中や、その後のトラフィックの集中を回避することができる。
【００４６】
＜実施例１＞
図２は本発明の無線局１及び無線端末２のブロック図である。
【００４７】
図２において、無線局１は、無線端末１からの無線信号を受信する無線信号受信器（Radio Signal Receiver）１０、無線端末１から受信した信号を復調する復調部（Demodulator）１１、他のネットワークノード（Other Network Node）に信号を送信する送信部（Transmitter）１２、他のネットワークノード（Other Network Node）からの信号を受信する受信部（Receiver）１３、１つの無線アクセス技術（Radio Access Technology: RAT）において複数種類のセルを制御する機能を有し、信号の送受信などの無線局動作の制御を行う制御部（Controller）１４、無線端末への信号を生成する信号生成部（Tx signal generator）１５、無線端末１へ無線信号を送信する無線信号送信器（Radio Signal Transmitter）１６、から構成される。尚、無線局１としては、無線基地局や、当該無線基地局を管理する基地局制御局などが考えられる。
【００４８】
また、図２において、無線端末１は、無線局１からの無線信号を受信する無線信号受信器（Radio Signal Receiver）２０、受信した信号を復調する復調部（Demodulator）２１、セルの種類を認識する認識部２２、信号の送受信などの端末動作の制御を行う制御部（Ｃｏｎｔｒｏｌｌｅｒ）２３、セルの種類に対応するセル選択基準を基にセルの選択を行うセル選択部２４、無線局１への信号を生成する信号生成部（Tx signal generator）２５、無線局１へ無線信号を送信する無線信号送信部（Radio Signal Transmitter）２６、から構成される。
【００４９】
尚、図２に示した機能ブロックの構成は一例であり、本発明の適用は、これらの構成に限定はされない。
【００５０】
図３に、本発明の無線端末２の認識部２２及びセル選択部２４によるセル選択の手順のフローチャートを示す。
【００５１】
まず、無線端末２は、例えば電源オンなどによりセル選択のトリガがかかると、所定の方法によりセル検出動作を行う（Ｓｔｅｐ  １）。このとき、最も強いセル（ベストセルとも呼ぶ）から順に検出する。
【００５２】
無線端末２は、検出したセルの受信電力測定（又は、受信品質測定）を行う（Ｓｔｅｐ  ２）。そして、検出したセル（又は、（下りリンクの）キャリア）の種類に対応するセル選択基準（例えば、判定閾値やオフセット）を基に測定した受信電力（又は、受信品質）の値を補正する（Ｓｔｅｐ  ３）。
【００５３】
そして、無線端末２は、当該検出セルがセル選択先として適するか否かを判定し（Ｓｔｅｐ  ４）、適する場合（Ｓｔｅｐ  ４  Ｙｅｓ）には当該検出セルを選択する（Ｓｔｅｐ  ５）。つまり、当該検出セルをサービングセルとして選択し、当該セルに滞在（キャンプ）する。一方、セル選択先として適さない場合（Ｓｔｅｐ  ４  Ｎｏ）、無線端末２はセル検出動作からやり直す。
【００５４】
＜実施例２＞
図４に、本発明の無線端末２の認識部２２及びセル選択部２４によるセル再選択の手順のフローチャートを示す。尚、本実施例のようにセル選択基準がセル再選択に用いる基準に相当する場合、セル再選択基準と呼ぶこともできる。
【００５５】
無線端末２は、例えばサービングセルの受信品質が所定値より劣化したなどのセル再選択のトリガがかかると、ｎ＝０、ｉ＝１として、所定の方法によりセル検出動作を行う（Ｓｔｅｐ  １１）。このとき、サービングセルと同じ周波数帯の最も強いセル（ベストセルとも呼ぶ）から順に検出するようにしても良いし、優先度の高い周波数帯の最も強いセルから順に検出するようにしても良いし、これら以外でも良い。
【００５６】
無線端末２は、検出したセルの受信電力測定（又は、受信品質測定）を行い（Ｓｔｅｐ  １２）、検出したセル（又は、（下りリンクの）キャリア）の種類に対応するセル選択基準（例えば、判定閾値やオフセット）を基に測定した受信電力（又は、受信品質）の値を補正する（Ｓｔｅｐ  １３）。
【００５７】
無線端末２は、検出したセルがセル再選択基準を満たすか否かを判定し（Ｓｔｅｐ  １４）、満たす場合には再選択セルリストに当該検出したセルの情報を保存する（Ｓｔｅｐ  １５）。そして、ｎを１増加し（Ｓｔｅｐ  １６）、セルの検出を行い、他の検出セルに対しても同様の処理を行う。
【００５８】
続いて、セルが検出されなくなると（Ｓｔｅｐ  １１  Ｎｏ）、無線端末２は、再選択セルリストの候補セルの有無を判定する（Ｓｔｅｐ  １７）。そして、再選択セルリストのセルに対して、セル（又は、キャリア）の種類に応じた優先度を考慮してランキングを行う（Ｓｔｅｐ  １８）。
【００５９】
無線端末２は、再選択セルリストのｉ＝１、すなわち最上位にランクされたセルから順番にセル再選択先に適するか否かを判定する（Ｓｔｅｐ  １９）。そして、最上位にランクされたセルがセル再選択先に適しているならば、そのセルを選択する（Ｓｔｅｐ  ２０）。一方、そのセルがセル再選択先に適していない場合には、ｉを１増加し（Ｓｔｅｐ  ２１）、次順位のセルが、セル再選択先に適するか否かを判定する（Ｓｔｅｐ  １９）。この処理を、ｉ＞ｎまで順次行っても適切なセルが存在しない場合（Ｓｔｅｐ  ２２  Ｙｅｓ）、セル選択手順を終了する。
【００６０】
＜第２の実施の形態＞
第２の実施の形態を説明する。
【００６１】
以下、図５に示す第２の無線通信システムを想定した場合における本発明の第２の実施の形態を示す。
【００６２】
図５は、本発明の適用の好ましい態様の一つである３ＧＰＰ  ＬＴＥ（Long Term Evolution）の無線通信システムの構成例であり、無線基地局（enhanced Node B: eNB）、各無線基地局が管理するセル（Cell）、当該セルのいずれかに滞在（キャンプ）する無線端末（User Equipment: UE）、無線基地局を管理するコアネットワーク（Evolved Packet Core: EPC）、などから構成される。尚、ＥＰＣはさらにＵＥの移動管理装置（Mobility Management Entity: MME）、サービングゲートウェイ（Serving Gateway: S-GW）などから構成される。
【００６３】
本発明の実施形態において、無線基地局（eNB）が、異なる種類のセルを制御する機能、つまり異なる種類のセルそれぞれで無線端末（UE）との通信を行う機能を有する。また、少なくとも一部の無線端末（UE）も複数の異なる種類のセルで通信を行う機能を有するものとする。尚、上述のように、これらは無線基地局（eNB）又は無線端末（UE）が、それぞれ異なる種類のコンポーネントキャリア（Component Carrier: CC）を用いて無線端末（UE）又は無線基地局（eNB）と通信を行う機能を有すると言うこともできる。さらに、無線端末（UE）がセルの種類を認識する機能、つまりセルの種類を知る、又は、意識する機能を有するものとする。尚、これは、下りリンクのコンポーネントキャリア（DL   CC）及び／又は上りリンクのコンポーネントキャリア（UL   CC）の種類を知る、又は、意識する機能とも言うことができる。本発明では、ＵＥは、セル（又は、コンポーネントキャリア）の種類に対応するセル選択基準（cell selection criteria）を基にセル選択（cell selection）又はセル再選択（cell reselection）を行う。セル選択基準としては、例えば以下のものが考えられる。
【００６４】
・セル選択又はセル再選択に関する判定閾値
・セル選択又はセル再選択に関するオフセット値
・セル選択又はセル再選択に関する優先度（プライオリティ）
・上記の組み合わせ
判定閾値としては、例えばセルを（再）選択する上で要求される最小受信電力レベル（Qrxlevmin）や最小受信品質レベル（Qqualmin）、セルを再選択する際のサービングセルに対する受信電力レベル閾値（Thresh_serving, P）や受信品質レベル閾値（Thresh_serving, Q）、又は、他セル（cell x）（隣接セルとも呼ぶ）に対する受信電力レベル閾値（Thresh_x, P）や受信品質レベル閾値（Thresh_x, Q）、セルを再選択する際に対象セルが所定品質を満たすべき期間（Treselection）などが考えられる。
【００６５】
また、オフセット値としては、例えばセルを選択する際に考慮する最小受信電力レベルのオフセット（Qrxlevminoffset）や最小受信品質レベルのオフセット（Qqualminoffset）、セルを再選択する際に考慮するサービングセルと他セル（隣接セルとも呼ぶ）の受信電力レベルの比較に用いるオフセット（QoffsetやQhyst）などが考えられる。
【００６６】
さらに、優先度（プライオリティ）としては、例えばセル選択時に考慮する優先度（cellSelectionPriority）や、セル再選択時に考慮する優先度（cellReselectionPriority）が考えられる。本発明ではさらに、上述の判定閾値、オフセット値、及び優先度（プライオリティ）をセル（又は、コンポーネントキャリア）の種類に対応させて設定する。
【００６７】
尚、セル（又は、コンポーネントキャリア）の種類に対応するセル選択基準は、無線基地局（eNB）から無線端末（UE）にシステム情報（System Information Block: SIB）で報知されても良いし、個別信号（Dedicated Signaling）で通知されても良いし、或いは、予め無線端末（UE）に設定されていても良い。
【００６８】
また、無線端末（UE）が、どの種類のセル（又は、どの種類のコンポーネントキャリア）を使用可能であるかに関するセルサポート情報（又は、キャリアサポート情報）は、無線端末（UE）の無線部の機能情報（例えば、Radio Access CapabilityやRadio Frequency Capability）、又は、他の無線端末（UE）固有の機能情報（例えば、NAS CapabilityやUE Capability）に含まれていても良い。セルサポート情報（又は、キャリアサポート情報）が無線部の機能情報に含まれる場合、当該情報は無線端末（UE）から無線基地局（eNB）に通知される。一方、セルサポート情報（又は、キャリアサポート情報）が他の無線端末（UE）固有の機能情報に含まれる場合、当該情報はコアネットワーク（EPC）の移動管理装置（MME）から無線基地局（eNB）に通知される。しかし、これらに限定はされない。
【００６９】
ここで、セルの種類とは、例えば以下のものが考えられる。
【００７０】
・従来の無線端末（UE）がアクセス可能なセル
・特定の能力（又は機能）を有する無線端末（UE）のみがアクセス可能なセル
・特定の用途においてのみ従来の無線端末（UE）がアクセス可能なセル
ここで、従来の無線端末（UE）とは、例えばセル（又は、キャリア）の種類に対応するセル選択基準を基にしたセルの選択（つまり、セル選択（cell selection）やセル再選択（cell reselection））を行う機能を有していない無線端末である。一方、特定の能力（又は機能）とは、例えばセル（又は、キャリア）の種類に対応するセル選択基準を基にしたセルの選択（つまり、セル選択やセル再選択）を行う能力（又は機能）である。特定の用途とは、例えば複数のＬＴＥのセル（つまり、コンポーネントキャリア（CC））を同時に使用して通信を行うキャリアアグリゲーション（Carrier Aggregation: CA）のセカンダリセル（Secondary Cell: SCell）（つまり、セカンダリコンポーネントキャリア（Secondary CC: SCC））として使用する、などが考えられる。
【００７１】
尚、上述のように、「セルの種類に対応するセル選択基準」を「コンポーネントキャリアの種類に対応するセル選択基準」と言う（つまり、置き換えて考える）こともできる。ここで、コンポーネントキャリアの種類は、コンポーネントキャリアで送信される信号の送信形態に関する所定の特徴を基に分類される。所定の特徴とは、例えば以下のものが考えられる。
【００７２】
・物理チャネル（Physical channel）の構成
・無線基地局（eNB）が送信する参照信号（Reference Signal: RS）の送信形態
・無線局が送信する制御信号（Control Signal）の送信形態
・無線局が送信するシステム情報（System Information: SI）の送信形態
・無線基地局（eNB）が送信するシステム情報（System Information: SI）の種類
・無線伝送方式（Radio Access Scheme）
・複信方式（Duplex mode）
物理チャネルの構成としては、例えば物理チャネルのマッピング（Physical Channel Mapping）、つまり各物理チャネルの送信に用いられる無線リソースの割り当て方法などが考えられる。既知信号である参照信号（RS）の送信形態としては、例えばセル固有RS（CRS）の送信周期、送信帯域、送信密度、信号電力密度、信号配置、信号系列、送信アンテナ数、又は、送信されるRSの種類、などが考えられる。システム情報の種類としては、セル（又は、コンポーネントキャリア）の種類によらず送信される種類のシステム情報と、特定の種類のセル（又は、コンポーネントキャリア）でのみ送信される種類のシステム情報、などが考えられる。
【００７３】
以上に示すように、アイドル状態の無線端末（UE）が、セル（又は、コンポーネントキャリア）の種類を認識し、当該セル（又は、コンポーネントキャリア）の種類に対応するセル選択基準を基にセル選択又はセル再選択をすることで、アイドル状態（RRC_Idle）のUEを適切に分散させることができる。
【００７４】
例えば、図６に示すように、各無線基地局（eNB1〜eNB3）がそれぞれ周波数f1〜f3でセル（cell1〜３、cell4〜6、cell7〜9）を運用しているものとする。さらに、図６の例では、LTEシステム内の全ての無線端末（UE）が使用できる種類のコンポーネントキャリア（第１のキャリア）で構成される第１のセル（cell1, cell2, cell4, cell5, cell7, cell8）と、一部のUEのみが使用できる種類のコンポーネントキャリア（第２のキャリア）で構成される（つまり、下りリンクのコンポーネントキャリアと上りリンクのコンポーネントキャリアの少なくとも一方が第２のキャリアである）第２のセル（cell3, cell6, cell9）が混在する。このとき、eNB1のセルのエリア（つまり、カバレッジ）に滞在するUEのうち第１のセルのみに滞在（キャンプ）することができる第１のUEはcell1とcell2のどちらかを選択し、第２のセルにも滞在（キャンプ）することができる第２のUEはcell1〜3のいずれかを選択する。従って、例えば第１のUEの数が支配的である場合、従来のようにセル（又は、コンポーネントキャリア）の種類を考慮しないセル選択やセル再選択を行うと、第１のセル（cell1, 2）の方にアイドル状態（RRC_Idle）のUEが集中するという問題が生じる可能性がある。
【００７５】
しかし、本発明では、例えば第２のUEに対して、第２のキャリアで構成されるセル（cell3）を優先的に選択するように、当該セル（cell3）に対するセル選択の判定閾値、オフセット値、及び／又は、優先度を、当該セルが選択され易いように指定する。これにより、UEを第１のキャリアで構成されるセル（cell1, 2）と第２のキャリアで構成されるセル（cell3）へ適度に分散させることができる。結果的に、アイドル状態のUEがアクティブ状態（RRC_Connected）になる際の無線接続要求（RRC Connection Setup Request）を含む無線接続確立プロシージャ（RRC Connection Setup Procedure）の集中や、その後のトラフィックの集中を回避することができる。
【００７６】
尚、ＬＴＥにおけるコンポーネントキャリアとは、無線基地局（eNB）と無線端末（UE）が通信を行う基本となるセルを構成する下りリンク及び上りリンクそれぞれの基本周波数成分を指す。以降、特に断りが無い限り、コンポーネントキャリアを単にキャリアと記載する。
【００７７】
＜実施例３＞
３ＧＰＰ  ＬＴＥの無線通信システムを想定し、本発明による第３の実施例を示す。
【００７８】
まず、ＬＴＥにおけるアイドル状態（RRC_Idle）のＵＥのセル選択方法及びセル再選択方法について説明する。RRC_Idle ＵＥの初めのセル選択（Initial Cell Selection）において、ＵＥは無線周波数部の能力に従って、自身がサポートするＥ-ＵＴＲＡの周波数帯の全ての周波数を順に探索する（スキャンする）。Ｅ-ＵＴＲＡは、ＬＴＥシステムの無線インタフェース部分に関する呼称である。ＵＥは各周波数において最も強いセル（例えば、ＣＲＳの検出レベルが最も高い、ＣＲＳの受信電力（RSRP）が最も大きい、又は、ＣＲＳの受信品質（RSRQ）が最も高いセル）を探索すれば良い。一方、ＵＥが以前に受信していた測定制御情報で示される周波数の情報やセルパラメータの情報を保有する場合、それらを用いてセル選択を行っても良い（Stored Information Cell Selection）。この場合、自身がサポートするＥ-ＵＴＲＡの周波数帯の全てを探索しなくても良い。ＵＥは適切なセルを見つけた場合、当該セルを選択し、当該セルに滞在（キャンプ）する。ここで、適切なセルとは、所定のセル選択の基準を満足するセルで、当該ＵＥのキャンプ（及び、eNBへのアクセス）が許可されているセルである。所定のセル選択の基準としては、下記の式（１）のように規定されている（非特許文献１）。
【００７９】
Srxlev > 0  AND  Squal > 0  ・・・（１）
ここで、Srxlev、Squalは、それぞれ参照信号（RS）の受信電力レベル、受信品質レベルであり、式（２）、（３）によりそれぞれ算出される。
【００８０】
Srxlev = Qrxlevmeas - (Qrxlevmin + Qrxlevminoffset) - Pcompensation  ・・・（２）
Squal = Qqualmeas - (Qqualmin + Qqualminoffset)  ・・・（３）
ここで、QrxlevmeasはＵＥが測定したＲＳの受信電力（Reference Signal Received Power: RSRP）、Qrxlevminは最小の要求される受信電力、QrxlevminoffsetはQrxlevminに対するオフセット、PcompensationはＵＥの上り送信電力能力に関する補正値である。同様に、QqualmeasはＵＥが測定したＲＳの受信品質（Reference Signal Received Quality: RSRQ）、Squalminは最小の要求される受信品質、SqualminoffsetはSqualminに対するオフセットである。尚、Qrxlevminoffset、Qqualminoffsetは、ＵＥがＶＰＬＭＮ（Visitor Public Land Mobile Network）に滞在中の、高い優先度のＰＬＭＮの測定結果に対してのみ適用される。さらに、どの周波数帯から探索を開始するかは端末のインプリ依存であり、端末が以前にキャンプしていたセルの周波数帯の情報を記憶しておき、当該周波数帯から探索を開始するようにしても良い。
【００８１】
次に、ＬＴＥにおけるアイドル状態（RRC_Idle）のＵＥのセル再選択方法について説明する。まず、同一周波数のセルに対するセル再選択は、ＵＥが不要な測定を行うことを避ける為に、下記の式（４）のようにキャンプ中のセル（サービングセル）の受信電力又は受信品質が、所定の閾値（S_IntraSearchP、又は、S_IntraSearchQ）よりも良い場合には実行しないようにしても良い。
【００８２】
Srxlev > S_IntraSearchP  And Squal > S_IntraSearchQ  ・・・（４）
式（４）を満たさない場合、ＵＥは同一周波数の他セルの測定（Intra-frequency measurement）を実行する。そして、ＵＥは式（１）を満たすセルに対して、下記の式（５）及び（６）を基にランキングを行う。
【００８３】
Rs = Qmeas,s + Qhyst  ・・・（５）
Rn = Qmeas,n - Qoffset  ・・・（６）
ここで、Qmeas,sとQmeas,nは、それぞれサービングセルのRSRPの平均値と各隣接セルのRSRPの平均値である。また、QhystとQoffsetは、それぞれサービングセルのRSRPに対するオフセット値と各隣接セルのRSRPに対するオフセット値である。そして、最も良いセル（ベストセル）としてランク付けされたセルに対して所定の第１のセル再選択の基準を満たすセルを選択する。第１のセル再選択の基準は、ＵＥが現在のサービングセルにキャンプしてから１秒以上が経過し、かつ、対象セル（新規サービングセルの候補）がTreselection_EUTRA間サービングセルより上位にランク付けされていること、と規定されている。尚、当該基準を満たすセルが無い場合、或は、サービングセルがベストセルとしてランク付けされた場合、セル再選択は行わない。
【００８４】
一方、サービングセルと異なる周波数のセルに対するセル再選択や、異なる無線アクセス技術（Radio Access Technology: RAT）のセルに対するセル再選択の制御は、以下のいずれかに従い実行される。
【００８５】
１）  プライオリティが高いＬＴＥ又は他ＲＡＴの隣接セルへのセル再選択：
サービングセルの周波数よりも高いセル再選択プライオリティを割り当てられた周波数がある場合、当該周波数のＬＴＥのセルの測定（Inter-frequency measurement）、又は、他のＲＡＴのセルの測定（Inter-RAT measurement）を実行し、所定の第２のセル再選択の基準を満たすセルを選択する。
【００８６】
２）  プライオリティが同じＬＴＥの隣接セルへのセル再選択：
ＵＥが不要な測定を行うことを避ける為に、下記の式（７）を満たす場合、サービングセルの周波数と同じセル再選択プライオリティを割り当てられた周波数のＬＴＥのセルの測定（Inter-frequency measurement）を実行しないようにしても良い。一方、式（７）を満たさない場合、サービングセルの周波数と同じセル再選択プライオリティを割り当てられた周波数のＬＴＥのセルの測定（Inter-frequency measurement）を実行し、所定の第３のセル再選択の基準を満たすセルを選択する。
【００８７】
Srxlev > S_nonIntraSearchP  And Squal > S_nonIntraSearchQ, ・・・（７）
３）  プライオリティが低いＬＴＥ又は他ＲＡＴの隣接セルへのセル再選択：
上記の式（７）を満たさない場合、サービングセルの周波数より低いセル再選択プライオリティを割り当てられた周波数のＬＴＥのセルの測定（Inter-frequency measurement）、又は、サービングセルの周波数より低いセル再選択プライオリティを割り当てられた周波数の他のＲＡＴのセルの測定(Inter-RAT measurement)を実行し、所定の第４のセル再選択の基準を満たすセルを選択する。
【００８８】
尚、セル再選択プライオリティは、システム情報（System Information）として報知されるか、ＵＥ個別信号（Dedicated Signalling）で通知される。
【００８９】
ここで、第２のセル再選択の基準は、ＵＥが現在のサービングセルにキャンプしてから１秒以上が経過し、かつ、下記の式（８）又は（９）をTreselection_RAT（例えば、Treselection_EUTRA、Treselection_UTRA、Treselection_GERA、Treselection_CDMA_1xRTT、Treselection_CDMA_HRPD）の間満たすこと、と規定されている。
【００９０】
Squal > Thresh_X, HighQ ・・・（８）
Srxlev > Thresh_X, HighP ・・・（９）
Thresh_X, HighQ又はThresh_X,HighPは、それぞれセル再選択のプライオリティが高い周波数のセルの受信品質又は受信電力に対する閾値である。
【００９１】
例えば、”Thresh_Serving, LowQ”に対応する情報（”threshServingLowQ”）がシステム情報（SystemInformationBlockType3: SIB3）で報知されている場合、他のＥ-ＵＴＲＡＮの周波数のセルやＵＴＲＡＮ  ＦＤＤ（Frequency Division Duplex）の周波数のセルに対して式（８）を適用し、その他の周波数のセル（例えば、ＵＴＲＡＮ  ＴＤＤ（Time Division Duplex）、ＧＥＲＡＮ（GSM/EDGE Radio Access Network）、ＣＤＭＡ２０００ １ｘＲＴＴ、ＨＲＰＤ）に対して式（９）を適用する。”threshServingLowQ”が報知されていない場合、該当するすべての周波数のセルに対して式（９）を適用する。
【００９２】
また、第３のセル再選択の基準は、基本的に上述の第１のセル再選択の基準と同様である。違いは、セル再選択の候補セルが、異なる周波数のＬＴＥのセルであることである。
【００９３】
さらに、第４のセル再選択の基準は、ＵＥが現在のサービングセルにキャンプしてから１秒以上が経過し、かつ、下記の式（１０）〜（１２）のいずれかをTreselection_RAT（例えば、Treselection_EUTRA、Treselection_UTRA、Treselection_GERA、Treselection_CDMA_1xRTT、Treselection_CDMA_HRPD）の間満たすこと、と規定されている。
【００９４】
Squal_Serving < Thresh_Serving, LowQ  And  Squal_Neigh > Thresh_X, LowQ  ・・・（１０）
Squal_Serving < Thresh_Serving, LowQ  And  Srxlev_Neigh > Thresh_X, LowP  ・・・（１１）
Srxlev_Serving < Thresh_Serving, LowP  And  Srxlev_Neigh > ThreshX, LowP  ・・・（１２）
例えば、”threshServingLowQ”がシステム情報（SIB3）で報知されている場合、他のＥ-ＵＴＲＡＮの周波数のセルやＵＴＲＡＮ  ＦＤＤの周波数のセルに対して式（１０）を適用し、その他の周波数のセル（例えば、ＵＴＲＡＮ  ＴＤＤ、ＧＥＲＡＮ、ＣＤＭＡ２０００ １ｘＲＴＴ、ＨＲＰＤ）に対しては式（１１）を適用する。” threshServingLowQ”が報知されていない場合、該当するすべての周波数のセルに対して式（１２）を適用する。
【００９５】
本発明では、上述のＬＴＥにおけるアイドル状態（RRC_Idle）のＵＥによるセル選択において、さらに無線端末（UE）がセル選択に用いるセル選択基準であるQrxlevmin、Qrxlevminoffset、Pcompensation、Qqualmin、Qqualminoffset、などのパラメータをセル（又は、キャリア）の種類毎に設定する。例えば、ＬTEシステム内の全ての無線端末（UE）が使用できる種類のキャリア（第１のキャリア）を構成要素とする第１のセルに対するセル選択基準となるパラメータをQrxlevmin、Qrxlevminoffset、Pcompensation、Qqualmin、Qqualminoffsetと定義し、一部の無線端末（UE）が使用できる種類のキャリア（第２のキャリア）を構成要素とする第２のセルに対するセル選択基準となるパラメータをQrxlevmin_2、Qrxlevminoffset_2、Pcompensation_2、Qqualmin_2、Qqualminoffset_2と定義しても良い。
【００９６】
さらに、本発明では、上述のパラメータの代わり、或は、それらに加えてセル選択の際に考慮する優先度（プライオリティ）をセル（又は、キャリア）の種類毎に設定しても良い。優先度は、各種類のセル（又は、キャリア）に対するセル選択の優先度（Cell Selection Priority）を絶対値（つまり、絶対的レベル）で設定しても良いし、特定の種類のセル（又は、キャリア）に対する他の種類のセル（又は、キャリア）の相対的な優先度（つまり、相対的レベル）で設定しても良い。
【００９７】
例えば、第１のセル（又は、キャリア）と第２のセル（又は、キャリア）それぞれに対するセル選択の優先度を絶対値（例えば、値が小さいほど優先度が高い）でA_CSP1、A_CSP2と定義しても良いし、第１のセル（又は、キャリア）に対する第２のセル（又は、キャリア）のセル選択の優先度を相対値（例えば、値が１より小さいと優先度が高く、１より大きいと優先度が低い）でR_CSP2と定義しても良い。尚、絶対値や相対値の設定方法はこれらに限定はされない。
【００９８】
これらのパラメータや優先度（プライオリティ）の設定例として、前述の図６に示すLTEシステムの例を用いる。第１のUEの数が支配的である場合、従来の方法では第１のキャリアで構成される第１のセル（例えばcell1, 2）の方にアイドル状態のUEが集中する。しかし、本発明を適用して第２のキャリアで構成される第２のセル（例えばcell3）を優先的に選択するように上述のパラメータを設定（例えば、Qrxlevmin_2、Qrxlevminoffset_2、Pcompensation_2、Qqualmin_2、Qqualminoffset_2などの値を対応するQrxlevmin、Qrxlevminoffset、Pcompensation、Qqualmin、Qqualminoffsetなどの値より小さく設定）したり、優先度を高く（例えば、A_CSP2の値をA_CSP1の値より小さく設定）したりすることで、第２のＵＥが適度に第２のキャリアで構成される第２のセル（例えばcell3）に集中し、アイドル状態のＵＥがキャンプするセルを適切に分散させることができる。
【００９９】
一方、第２のＵＥの数が支配的になり、図６から図７のように第２のキャリアで構成される第２のセルを増加させた場合を想定する。この場合も、従来の方法では、第１のＵＥが選択可能な第１のキャリアで構成される第１のセルがｅＮＢ当り１つ（例えばcell1）で、第２のＵＥは全てのセルを選択可能である為、第１のセル（例えばcell1）の方にアイドル状態のUEが集中する。しかし、本発明を適用して第２のキャリアで構成される第２のセル（例えばcell3）を優先的に選択するように上述のパラメータを設定することで、第２のＵＥが第２のセル（例えばcell2, 3）に集中し、かつ、第２のセル間では適度に分散し、アイドル状態のＵＥがキャンプするセルを適切に分散させることができる。尚、セル（又は、キャリア）の種類が３つ以上ある場合にも同様に本発明が適用可能であることが言うまでもない。
【０１００】
同様に、本発明では、上述のＬＴＥにおけるアイドル状態（RRC_Idle）のＵＥによるセル再選択において、さらに無線端末（UE）がセル再選択に用いるセル選択基準であるThresh_X, HighQ、Thresh_X, HighP、Thresh_Serving, LowQ、Thresh_Serving, LowP、Treselection_EUTRA、などのパラメータをキャリア（又は、セル）の種類毎に設定する。例えば、第１のキャリアに対するセル選択基準となるパラメータをThresh_X, HighQ、Thresh_X, HighP、Thresh_Serving, LowQ、Thresh_Serving, LowP、Treselection_EUTRA、Qoffset、Qhystと定義し、第２のキャリアに対するセル選択基準となるパラメータをThresh_X, HighQ_2、Thresh_X, HighP_2、Thresh_Serving, LowQ_2、Thresh_Serving, LowP_2、Treselection_EUTRA_2、Qoffset_2、Qhyst_2と定義しても良い。
【０１０１】
さらに、本発明では、上述のパラメータの代わり、或は、それらに加えてセル再選択の際に考慮する優先度（プライオリティ）をセル（又は、キャリア）の種類毎に設定しても良い。優先度は、各種類のセル（又は、キャリア）に対するセル選択の優先度（Cell Selection Priority）を絶対値（つまり、絶対的レベル）で設定しても良いし、特定の種類のセル（又は、キャリア）に対する他の種類のセル（又は、キャリア）の相対的な優先度（つまり、相対的レベル）で設定しても良い。
【０１０２】
例えば、第１のセル（又は、キャリア）と第２のセル（又は、キャリア）それぞれに対するセル再選択の優先度を絶対値（例えば、値が小さいほど優先度が高い）でA_CRSP1、A_CRSP2と定義しても良いし、第１のセル（又は、キャリア）に対する第２のセル（又は、キャリア）のセル再選択の優先度を相対値（例えば、値が１より小さいと優先度が高く、１より大きいと優先度が低い）でR_CRSP2と定義しても良い。尚、絶対値や相対値の設定方法はこれらに限定はされない。尚、本発明の優先度は、従来の周波数毎に設定されるセル再選択の優先度（Cell Reselection Priority）とは異なり、セル（又は、キャリア）の種類毎に設定されるセル再選択の優先度である。
【０１０３】
ここで、上述のパラメータの値や優先度（プライオリティ）は、図８または図９のようにシステム情報（SIB）として報知されても良いし、無線端末（UE）毎にＲＲＣ接続再設定メッセージ（RRC Connection Reconfiguration message）、ＲＲＣ接続拒否メッセージ（RRC Connection Reject message）、ＲＲＣ接続の再確立拒否メッセージ（RRC Connection Reestablishment Reject message）、RRC接続開放メッセージ（RRC Connection Release message）などの個別信号（Dedicated Signaling）で通知されても良いし、或は、予めUEに設定されていても良い。
【０１０４】
以上に示す制御により、アイドル状態（RRC_Idle）のＵＥがセル（又は、キャリア）の種類を考慮したセル選択及びセル再選択を実行し、アイドル状態のＵＥがキャンプするセルを適切に分散させることができる。また、これによりＵＥがアイドル状態からアクティブ状態（RRC_Connected）になる為の接続要求（RRC Connection Request）を含む接続確立プロシージャ（RRC Connection Setup Procedure）の処理が特定のセルに集中することを回避することができる。
【０１０５】
尚、無線端末（UE）が、セルの種類（または、キャリアの種類）の認識方法としては、以下の方法が考えられる。例えば、セルの種類（または、下りリンクキャリアの種類や上りリンクキャリアの種類）が無線基地局（eNB）から送信されるシステム情報（System Information Block: SIB）で示され、無線端末（UE）が、そのシステム情報を復調することによりセルの種類（または、キャリアの種類）を認識する方法が考えられる。別の方法として、例えば、セルの種類（または、セルの構成要素の下りリンクのキャリアの種類）は、従来（Legacy）のLTEキャリア（例えば、第１のキャリア）で送信されている参照信号（RS。例えばCRS。）や同期信号（SS）が送信されているか否か、従来のLTEキャリアでのRSやSSの送信形態と同じか否か、所定の種類のセル（または、下りリンクのキャリア（例えば、第２のキャリア））に対して規定される送信形態で参照信号（RS）や同期信号（SS）が送信されているか否か、或いは、所定の種類のセル（または、下りリンクのキャリア）に対して規定される参照信号（RS）や同期信号（SS）が送信されているか否か、などにより認識する（検出するとも呼べる）。
【０１０６】
一方、無線端末（UE）が、セルを検出する手順としては、例えば以下のものが考えられる。
【０１０７】
・候補となる各周波数にて従来のLTEセル（つまり、従来の下りリンクのキャリア）の検出を試みた後で特定の種類のLTEセル（つまり、特定の種類の下りリンクのキャリア）の検出を試みる。
【０１０８】
・候補となる各周波数にて従来のLTEセルの検出を試みたが適切なセル（suitable cellまたはacceptable cell）が検出できなかった場合に当該周波数にて特定の種類のLTEセルの検出を試みる。
【０１０９】
・候補となる各周波数にて特定の種類のLTEセルの検出を試みたが適切なセルが検出できなかった場合に当該周波数にて従来のLTEセルの検出を試みる。
【０１１０】
・候補となる各周波数にて従来のLTEセルと特定の種類のセルの検出を同時に試みる。
【０１１１】
しかし、これらに限定はされない。また、これらを優先度の高い周波数から順に行っても良いし、低い（又は、高い）周波数から順に行っても良い。尚、特定の種類のセルとは、基本的に従来のLTEセル以外を指し、予め無線基地局（eNB）から指定されていても良いし、予め無線端末（UE）に設定されていても良い。或いは、無線端末（UE）が、自身のセルサポート情報（又は、キャリアサポート情報）に基づいて特定の種類を認識する（つまり、どの種類のセルを検出するかを認識する）ようにしても良い。
【０１１２】
＜実施例４＞
本発明における無線端末（ＵＥ）のセル選択（Cell Selection）の動作について、図１０を用いて具体的に説明する。
【０１１３】
図１０において、ＵＥ１とＵＥ２がそれぞれ図中の地点にいるときにセル選択を行うものとする。Ｃｅｌｌ１とＣｅｌｌ３は第１のキャリアで構成される従来のＵＥもキャンプ可能な第１のセルで、Ｃｅｌｌ２とＣｅｌｌ４は第２のキャリアで構成される一部のＵＥがキャンプ可能な第２のセルである。また、セル（又は、キャリア）の種類に対応するセル選択基準として、第１のセル（例えば、Ｃｅｌｌ１とＣｅｌｌ３）に対して、QrxlevminとQqualminが設定され、第２のセル（例えば、Ｃｅｌｌ２とＣｅｌｌ４）に対して、Qrxlevmin_2とQqualmin_2が設定されているものとする。尚、簡単の為、上述の式（２）及び（３）のQrxlevminoffset、Pcompensation、及び、Qqualminoffsetはゼロ（つまり、使用しないもの）とする。
【０１１４】
まず、ＵＥ１のセル選択の動作を説明する。
【０１１５】
ＵＥ１は、周波数１（ｆ１）と周波数２（ｆ２）のそれぞれでセル検出を行い、Ｃｅｌｌ１とＣｅｌｌ２を検出する。尚、ｆ１とｆ２のどちらで先にセル検出を試みても良い。ＵＥ１は、Ｃｅｌｌ１とＣｅｌｌ２それぞれについてセル選択基準を満たすか否かを判定する。本実施例では、ＵＥ１のセル選択法として、以下の５つの場合が考えられる。
【０１１６】
・Ｃａｓｅ  １）Ｃｅｌｌ１がセル選択基準を満たし、Ｃｅｌｌ２がセル選択基準を満たさない。この場合、ＵＥ１はＣｅｌｌ１を選択する。
【０１１７】
・Ｃａｓｅ  ２）Ｃｅｌｌ１がセル選択基準を満たさず、Ｃｅｌｌ２がセル選択基準を満たす。この場合、ＵＥ１はＣｅｌｌ２を選択する。
【０１１８】
・Ｃａｓｅ  ３）Ｃｅｌｌ１がセル選択基準を満たし、Ｃｅｌｌ２もセル選択基準を満たす。また、Ｃｅｌｌ１の受信品質がＣｅｌｌ２よりも良好。この場合、ＵＥ１はＣｅｌｌ１を選択する。
【０１１９】
・Ｃａｓｅ  ４）Ｃｅｌｌ１がセル選択基準を満たし、Ｃｅｌｌ２もセル選択基準を満たす。また、Ｃｅｌｌ２の受信品質がＣｅｌｌ１よりも良好。この場合、ＵＥ１はＣｅｌｌ２を選択する。
【０１２０】
・Ｃａｓｅ  ５）Ｃｅｌｌ１がセル選択基準を満たし、Ｃｅｌｌ２もセル選択基準を満たす。一方、Ｃｅｌｌ２がＣｅｌｌ１よりも優先度（プライオリティ）が高い。この場合、ＵＥ１はＣｅｌｌ２を選択する。
【０１２１】
次に、ＵＥ２のセル選択の動作を説明する。ＵＥ２は、ｆ１とｆ２のそれぞれでセル検出を行い、ｆ１でＣｅｌｌ１とＣｅｌｌ３を、ｆ２でＣｅｌｌ２とＣｅｌｌ４を検出する。尚、ｆ１とｆ２のどちらで先にセル検出を試みても良い。次に、ＵＥ２は、ｆ１とｆ２のそれぞれで最も受信特性の良い（例えば、受信品質が高い）セルに注目する。例えば、ｆ１ではＣｅｌｌ１が、ｆ２ではＣｅｌｌ４が、それぞれ最も特性が良いものとする。このとき、ＵＥ１の場合と同様に、ＵＥ２のセル選択法としては以下５つの場合が考えられる。
【０１２２】
・Ｃａｓｅ  １）Ｃｅｌｌ１がセル選択基準を満たし、Ｃｅｌｌ４がセル選択基準を満たさない。この場合、ＵＥ１はＣｅｌｌ１を選択する。
【０１２３】
・Ｃａｓｅ  ２）Ｃｅｌｌ１がセル選択基準を満たさず、Ｃｅｌｌ４がセル選択基準を満たす。この場合、ＵＥ１はＣｅｌｌ４を選択する。
【０１２４】
・Ｃａｓｅ  ３）Ｃｅｌｌ１がセル選択基準を満たし、Ｃｅｌｌ４もセル選択基準を満たす。また、Ｃｅｌｌ１の受信品質がＣｅｌｌ４よりも良好。この場合、ＵＥ１はＣｅｌｌ１を選択する。
【０１２５】
・Ｃａｓｅ  ４）Ｃｅｌｌ１がセル選択基準を満たし、Ｃｅｌｌ４もセル選択基準を満たす。また、Ｃｅｌｌ４の受信品質がＣｅｌｌ１よりも良好。この場合、ＵＥ１はＣｅｌｌ４を選択する。
【０１２６】
・Ｃａｓｅ  ５）Ｃｅｌｌ１がセル選択基準を満たし、Ｃｅｌｌ４もセル選択基準を満たす。一方、Ｃｅｌｌ４がＣｅｌｌ１よりも優先度（プライオリティ）が高い。この場合、ＵＥ１はＣｅｌｌ４を選択する。
【０１２７】
以上のようなセル（又は、キャリア）の種類を考慮したセル選択（Cell Selection）を行うことで、アイドル状態（RRC_Idle）の無線端末（ＵＥ）がキャンプするセルを適切に分散させることができる。
【０１２８】
＜実施例５＞
本発明における無線端末（ＵＥ）のセル再選択（Cell Reselection）の動作について、図１１を用いて具体的に説明する。図１１において、ＵＥが図中の矢印（→）のように移動し、セル再選択を行うものとする。Ｃｅｌｌ１とＣｅｌｌ３は第１のキャリアで構成される従来のＵＥもキャンプ可能な第１のセルで、Ｃｅｌｌ２とＣｅｌｌ４は第２のキャリアで構成される一部のＵＥがキャンプ可能な第２のセルである。また、セル（又は、キャリア）の種類に対応するセル再選択基準として、第１のセル（例えば、Ｃｅｌｌ１とＣｅｌｌ３）に対して、Qoffset、Qhyst、Thresh_X, HighQ、Thresh_X,HighP、Thresh_Serving, LowQ、Thresh_Serving, LowP、Thresh_X, LowQ、Thresh_X, LowPが設定され、第２のセル（例えば、Ｃｅｌｌ２とＣｅｌｌ４）に対して、Qoffset_2、Qhyst_2、Thresh_X, HighQ_2、Thresh_X,HighP_2、Thresh_Serving, LowQ_2、Thresh_Serving, LowP_2、Thresh_X, LowQ_2、Thresh_X, LowP_2が設定されているものとする。尚、簡単の為、セル選択基準は第１のセルと第２のセルで同一のものを用いるものとする。
【０１２９】
まず、ＵＥがＣｅｌｌ１にキャンプし、周波数毎のセル再選択の優先度（Cell Reselection Priority）がｆ１とｆ２で同一である場合を想定する。このとき、ＵＥは以下の手順によりセル再選択を実行する。ＵＥは、サービングセル（つまり、Ｃｅｌｌ１）の受信品質（例えば、RSRPとRSRQ）が所定の受信品質（例えば、S_nonIntraSearchPとS_nonIntraSearchQ）より大きいか否かを判定する。大きい場合、セル再選択手順を終了する。小さい場合、周辺のセルの受信品質測定を実行する。本実施例では、Ｃｅｌｌ２、Ｃｅｌｌ３、Ｃｅｌｌ４が検出されたものとする。ＵＥは、各セルが所定のセル再選択基準（例えば、Squal_Serving < Thresh_Serving, LowQ And Squal_Neigh > Thresh_X, LowQ）を満たすか否かを判定する。そして、当該セル再選択基準を満たすもので、受信特性が最も良好な（例えば、受信品質が高い）セルを選択する。例えば、Ｃｅｌｌ３とＣｅｌｌ４がセル再選択基準を満たす場合、受信品質が高い方のセルをサービングセルとしてキャンプする。
【０１３０】
一方、第１のキャリアで構成される第１のセルと第２のキャリアで構成される第２のセル間で優先度（プライオリティ）を設定しても良い。例えば、第２のセルを第１のセルよりも優先的に選択されるように優先度を設定されている場合、ＵＥはＣｅｌｌ４をサービングセルとして選択し、キャンプする。
【０１３１】
以上のようなセル（又は、キャリア）の種類を考慮したセル再選択（Cell Reselection）を行うことで、アイドル状態（RRC_Idle）の無線端末（ＵＥ）がキャンプするセルを適切に分散させることができる。
【０１３２】
＜実施例６＞
本発明によるセル選択及びセル再選択のポリシーの具体例を示す。本発明では、例えば以下の４通りのセル選択及びセル再選択のポリシーが考えられる。
【０１３３】
Ａ）ベストセルを最優先して選択する。
【０１３４】
Ｂ）優先度の高い周波数におけるセルを最優先しつつ、同一優先度の周波数間ではベストセルを選択する。
【０１３５】
Ｃ）優先度の高い周波数におけるセルを最優先しつつ、同一優先度の周波数間では所定の種類のセル（又は、所定の種類のキャリアを構成要素とするセル）を優先して選択する。
【０１３６】
Ｄ）所定の種類のセル（又は、所定の種類のキャリアを構成要素とするセル）を最優先して選択する。
【０１３７】
これらのポリシーを、目的や状況に応じて、無線端末（ＵＥ）共通又は個別に設定することで、アイドル状態（RRC_Idle）の無線端末（ＵＥ）がキャンプするセルを適切に分散させることができる。
【０１３８】
これまで述べたＬＴＥの実施形態では、マクロ無線基地局（Macro eNB）のセルのみが存在するＨｏｍｏｇｅｎｅｏｕｓ  Ｎｅｔｗｏｒｋを想定していたが、本発明の適用範囲はこれに限定はされない。例えば、マクロ無線基地局（Macro eNB）とピコ無線基地局（Pico eNB）やフェムト無線基地局（Femto eNB）が混在するＨｅｔｅｒｏｇｅｎｅｏｕｓ  Ｎｅｔｗｏｒｋ（ＨｅｔＮｅｔ）においても適用が可能であることは言うまでも無い。
【０１３９】
さらに、これまで述べた実施形態では、無線通信システムとして３ＧＰＰ  ＬＴＥを想定して説明したが、本発明の対象はそれらに限定されることはなく、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＣＤＭＡ２０００（Ｃｏｄｅ  Ｄｉｖｉｓｉｏｎ  Ｍｕｌｔｉｐｌｅ  Ａｃｃｅｓｓ  ２０００）及びその発展版（１ｘＲＴＴ、ＨＲＰＤ）、ＷｉＭＡＸ（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）などにも適用可能である。
【０１４０】
さらに、本発明は必ずしも上記実施の形態及び実施例に限定されるものではなく、その技術的思想の範囲内において様々に変形し実施してもよい。また、各実施の形態又は実施例を適宜組み合わせて実施してもよい。
【０１４１】
また、上述した説明からも明らかなように、各部をハードウェアで構成することも可能であるが、コンピュータプログラムにより実現することも可能である。この場合、プログラムメモリに格納されているプログラムで動作するプロセッサによって、上述した実施の形態と同様の機能、動作を実現させる。
【０１４２】
尚、上記の実施形態の一部又は全部は、以下の付記のようにも記載されうるが、以下には限られない。
【０１４３】
（付記１）  無線局と無線端末とが通信する無線通信システムにおいて、
少なくとも１つの前記無線局が、１つの無線アクセス技術で複数種類のセルを制御する制御手段と、
前記無線端末が、前記セルの種類を認識する認識手段と、
前記無線端末が、前記セルの種類に対応するセル選択基準を基にセルの選択を行うセル選択手段と、
を有する無線通信システム。
【０１４４】
（付記２）  前記セルの選択が、前記無線端末が前記無線局との無線接続を確立していない状態におけるセル選択又はセル再選択である
付記１に記載の無線通信システム。
【０１４５】
（付記３）  前記セルの種類は、当該セルの構成要素となるキャリアの種類によって特定される
付記１又は付記２に記載の無線通信システム。
【０１４６】
（付記４）  前記キャリアの種類は、送信される信号の送信形態によって分類される
付記３に記載の無線通信システム。
【０１４７】
（付記５）  前記キャリアの種類が、物理チャネルの構成によって分類される
付記３又は付記４に記載の無線通信システム。
【０１４８】
（付記６）  前記キャリアの種類が、前記キャリアにおける前記無線局から送信される既知信号、システム情報、制御信号、の少なくともいずれかの送信形態によって分類される
付記３から付記５のいずれかに記載の無線通信システム。
【０１４９】
（付記７）  前記キャリアの種類が、システム情報の内容によって分類される
付記３から付記６のいずれかに記載の無線通信システム。
【０１５０】
（付記８）  前記キャリアの種類が、無線伝送方式によって分類される
付記３から付記７のいずれかに記載の無線通信システム。
【０１５１】
（付記９）  前記キャリアの種類が、複信方式によって分類される、
付記３から付記８のいずれかに記載の無線通信システム。
【０１５２】
（付記１０）  前記セル選択基準が、セル選択又はセル再選択に関する判定閾値、又は、セル選択又はセル再選択に関するオフセット値を含む
付記１から付記９のいずれかに記載の無線通信システム。
【０１５３】
（付記１１）  前記セル選択基準が、セル選択又はセル再選択に関する優先度を含む
付記１から付記１０のいずれかに記載の無線通信システム。
【０１５４】
（付記１２）  前記無線局が、前記セル選択基準を、前記無線端末に報知、又は、個別送信する
付記１から付記１１のいずれかに記載の無線通信システム。
【０１５５】
（付記１３）  前記制御手段が、少なくとも第１のキャリアと第２のキャリアを制御する機能を有し、
前記無線端末が、前記第１のキャリアのみを使用する機能を有する第１の無線端末と、前記第１のキャリアと前記第２のキャリアを使用する機能を有する第２の無線端末とに分類される
付記１から付記１２のいずれかに記載の無線通信システム。
【０１５６】
（付記１４）  前記第２の無線端末が、当該第２の無線端末によりサポートされる周波数帯において、前記セル選択基準を満たす前記第２のキャリアのセルを優先的に選択する
付記１３に記載の無線通信システム。
【０１５７】
（付記１５）  無線局が１つの無線アクセス技術で複数種類のセルを制御する無線通信システムにおける無線端末であって、
前記セルの種類を認識する認識手段と、
前記セルの種類に対応するセル選択基準を基にセルの選択を行うセル選択手段と、
を有する無線端末。
【０１５８】
（付記１６）  前記セルの選択が、前記無線端末が前記無線局との無線接続を確立していない状態におけるセル選択又はセル再選択である
付記１５に記載の無線端末。
【０１５９】
（付記１７）  前記セルの種類は、当該セルの構成要素となるキャリアの種類によって特定される
付記１５又は付記１６に記載の無線端末。
【０１６０】
（付記１８）  前記キャリアの種類は、送信される信号の送信形態によって分類される
付記１７に記載の無線端末。
【０１６１】
（付記１９）  前記キャリアの種類が、物理チャネルの構成によって分類される
付記１７又は付記１８に記載の無線端末。
【０１６２】
（付記２０）  前記キャリアの種類が、前記キャリアにおける前記無線局から送信される既知信号、システム情報、制御信号、の少なくともいずれかの送信形態によって分類される
付記１７から付記１９のいずれかに記載の無線端末。
【０１６３】
（付記２１）  前記キャリアの種類が、システム情報の内容によって分類される
付記１７から付記２０のいずれかに記載の無線端末。
【０１６４】
（付記２２）  前記キャリアの種類が、無線伝送方式によって分類される
付記１７から付記２１のいずれかに記載の無線端末。
【０１６５】
（付記２３）  前記キャリアの種類が、複信方式によって分類される、
付記１７から付記２２のいずれかに記載の無線端末。
【０１６６】
（付記２４）  前記セル選択基準が、セル選択又はセル再選択に関する判定閾値、又は、セル選択又はセル再選択に関するオフセット値、を含む
付記１５から付記２３のいずれかに記載の無線端末。
【０１６７】
（付記２５）  前記セル選択基準が、セル選択又はセル再選択に関する優先度を含む
付記１５から付記２４のいずれかに記載の無線端末。
【０１６８】
（付記２６）  前記セル選択基準を、前記無線局から受信する
付記１５から付記２５のいずれかに記載の無線端末。
【０１６９】
（付記２７）  無線端末が、第１のキャリアのみを使用する機能を有する無線端末と、前記第１のキャリアと第２のキャリアとを使用する機能を有する無線端末とに分類される
付記１５から付記２６のいずれかに記載の無線端末。
【０１７０】
（付記２８）  前記第１のキャリアと前記第２のキャリアとを使用する機能を有し、
前記セル選択手段は、当該無線端末によりサポートされる周波数帯において、前記セル選択基準を満たす前記第２のキャリアのセルを優先的に選択する
付記２７に記載の無線端末。
【０１７１】
（付記２９）  無線局であって、
１つの無線アクセス技術で複数種類のセルを制御する制御手段と、
無線端末がセルの選択を行う際の基準となるセル選択基準を、前記無線端末に報知、又は、個別送信する手段と
を有し、
前記セル選択基準をセルの種類に対応させて設定する無線局。
【０１７２】
（付記３０）  セル選択方法であって、
少なくとも１つの無線局が、１つの無線アクセス技術で複数種類のセルを制御し、
無線端末が、前記セルの種類を認識し、
前記無線端末が、前記セルの種類に対応するセル選択基準を基にセルの選択を行う
セル選択方法。
【０１７３】
（付記３１）  前記セルの選択が、前記無線端末が前記無線局との無線接続を確立していない状態におけるセル選択又はセル再選択である
付記３０に記載のセル選択方法。
【０１７４】
（付記３２）  前記セルの種類は、当該セルの構成要素となるキャリアの種類によって特定される
付記３０又は付記３１に記載のセル選択方法。
【０１７５】
（付記３３）  前記キャリアの種類は、送信される信号の送信形態によって分類される
付記３２に記載のセル選択方法。
【０１７６】
（付記３４）  前記キャリアの種類が、物理チャネルの構成によって分類される
付記３２又は付記３３に記載のセル選択方法。
【０１７７】
（付記３５）  前記キャリアの種類が、前記キャリアにおける前記無線局から送信される既知信号、システム情報、制御信号、の少なくともいずれかの送信形態によって分類される
付記３２から付記３４のいずれかに記載のセル選択方法。
【０１７８】
（付記３６）  前記キャリアの種類が、システム情報の内容によって分類される
付記３２から付記３５のいずれかに記載のセル選択方法。
【０１７９】
（付記３７）  前記キャリアの種類が、無線伝送方式によって分類される
付記３２から付記３６のいずれかに記載のセル選択方法。
【０１８０】
（付記３８）  前記キャリアの種類が、複信方式によって分類される、
付記３２から付記３７のいずれかに記載のセル選択方法。
【０１８１】
（付記３９）  前記セル選択基準が、セル選択又はセル再選択に関する判定閾値、又は、セル選択又はセル再選択に関するオフセット値、を含む
付記３０から付記３８のいずれかに記載のセル選択方法。
【０１８２】
（付記４０）  前記セル選択基準が、セル選択又はセル再選択に関する優先度を含む
付記３０から付記３９のいずれかに記載のセル選択方法。
【０１８３】
（付記４１）  前記無線局が、前記セル選択基準を、前記無線端末に報知、又は、個別送信する
付記３０から付記４０のいずれかに記載のセル選択方法。
【０１８４】
（付記４２）  前記無線局が、少なくとも第１のキャリアと第２のキャリアを制御し、
前記無線端末が、前記第１のキャリアのみを使用する機能を有する第１の無線端末と、前記第１のキャリアと前記第２のキャリアを使用する機能を有する第２の無線端末とに分類される
付記３０から付記４１のいずれかに記載のセル選択方法。
【０１８５】
（付記４３）  前記第２の無線端末が、当該第２の無線端末によりサポートされる周波数帯において、前記セル選択基準を満たす前記第２のキャリアのセルを優先的に選択する
付記４２に記載のセル選択方法。
【０１８６】
本出願は、２０１２年７月５日に出願された日本出願特願２０１２−１５１９１０号を基礎とする優先権を主張し、その開示の全てをここに取り込む。
【符号の説明】
【０１８７】
１      無線局
２      無線端末
１０    無線信号受信器
１１    復調部
１２    送信部
１３    受信部
１４    制御部
１５    信号生成部
１６    無線送信器
２０    無線信号受信器
２１    復調部
２２    認識部
２３    制御部
２４    セル選択部
２５    信号生成部
２６    無線信号送信部
【図１】
2014007336.tif 000003
【図２】
2014007336.tif 000004
【図３】
2014007336.tif 000005
【図４】
2014007336.tif 000006
【図５】
2014007336.tif 000007
【図６】
2014007336.tif 000008
【図７】
2014007336.tif 000009
【図８】
2014007336.tif 000010
【図９】
2014007336.tif 000011
【図１０】
2014007336.tif 000012
【図１１】
2014007336.tif 000013
【図１２】
2014007336.tif 000014
【国際調査報告】
2014007336.tif 000015
2014007336.tif 000016